(57)【要約】【課題】  複数のマルチメディアメッセージを送信するときの送信効率の向上を図ることができる移動体通信端末を提供する。【解決手段】  本移動体通信端末（携帯電話機）１０は、メッセージ入力部１１０とメッセージ通信部１１１とメッセージ記憶部１１２と制御部１１４とを備える。メッセージデータ入力部１１０は、ＭＭＳメッセージに関するデータを利用者が入力ときに用いる。メッセージ記憶部１１２は、メッセージ入力部１１０で入力されたＭＭＳメッセージを記憶する。メッセージ通信部１１１は、携帯電話通信網２０上のマルチメディアメッセージ通信システムのＭＭＳＣ２５と通信する。制御部１１４は、メッセージ記憶部１１２に記憶している複数のＭＭＳメッセージを所定のタイミングで一括送信するようにメッセージ通信部１１１を制御する。【選択図】  図９
2006121349.tif 000002
【特許請求の範囲】
【請求項１】
通信ネットワーック上のマルチメディアメッセージ通信システムを介して、複数のメディアタイプのデータを含めることができるマルチメディアメッセージの送受信が可能な移動体通信端末であって、
マルチメディアメッセージに関するデータを入力するためのメッセージデータ入力手段と、
該メッセージデータ入力手段で入力されたマルチメディアメッセージを記憶するメッセージ記憶手段と、
該通信ネットワーク上のマルチメディアメッセージ通信システムと通信するためのメッセージ通信手段と、
該メッセージ記憶手段に記憶している複数のマルチメディアメッセージを所定のタイミングで一括送信するように該メッセージ通信手段を制御する制御手段とを備えたことを特徴とする移動体通信端末。
【請求項２】
請求項１の移動体通信端末において、
上記制御手段は、予め設定した送信時刻が到来したときに、上記複数のマルチメディアメッセージを一括送信するように制御することを特徴とする移動体通信端末。
【請求項３】
請求項１の移動体通信端末において、
上記通信ネットワーク上のマルチメディアメッセージ通信システムと通信可能な状況にあるか否かを検知する通信状況検知手段を備え、
上記制御手段は、該通信状況検知手段で該マルチメディアメッセージ通信システムと通信可能な状況にあることを検知したときに、上記複数のマルチメディアメッセージを一括送信するように制御することを特徴とする移動体通信端末。
【請求項４】
請求項１の移動体通信端末において、
上記複数のマルチメディアメッセージの一括送信を指示する一括送信指示手段を備え、
上記制御手段は、該一括送信指示手段で該一括送信が指示されたときに、該複数のマルチメディアメッセージを一括送信するように制御することを特徴とする移動体通信端末。
【請求項５】
請求項１乃至４のいずれかの移動体通信端末において、
上記マルチメディアメッセージの一括送信に関する情報を利用者に通知するための一括送信情報通知手段を備え、
上記制御手段は、上記一括送信の動作が中断されたときに、その一括送信動作の中断を知らせる情報を通知するように該一括送信情報通知手段を制御することを特徴とする移動体通信端末。
【請求項６】
請求項５の移動体通信端末において、
上記制御手段は、上記一括送信の動作が中断されたときに、上記複数のマルチメディアメッセージそれぞれについて送信が完了したか否かを識別する送信完了識別情報を保持し、マルチメディアメッセージごとに該送信完了識別情報を通知するように上記一括送信情報通知手段を制御することを特徴とする移動体通信端末。
【請求項７】
請求項５又は６の移動体通信端末において、
上記マルチメディアメッセージの再送信を指示する再送信指示手段を備え、
上記制御手段は、該再送信指示手段で該再送信が指示されたときに、上記一括送信動作の中断で送信されていないマルチメディアメッセージについて再送信するように制御することを特徴とする移動体通信端末。
【請求項８】
請求項１乃至７のいずれかの移動体通信端末において、
上記制御手段は、該マルチメディアメッセージの送信に失敗したとき、予め設定した再送信回数だけ所定の時間間隔で該マルチメディアメッセージの再送信を試みるように制御することを特徴とする移動体通信端末。
【発明の詳細な説明】
【技術分野】
【０００１】
本発明は、通信ネットワーック上のマルチメディアメッセージ通信システムを介して、複数のメディアタイプのデータで構成されるマルチメディアメッセージの送受信が可能な携帯電話機等の移動体通信端末に関するものである。
【背景技術】
【０００２】
従来、この種の移動体通信端末として、移動体通信ネットワーク等の通信ネットワークを介して、他の移動体通信端末との間でメッセージを送受信可能な携帯電話機などの移動体通信端末が知られている。当初、移動体通信ネットワークにおける伝送能力が悪かったため、上記移動体通信端末間で送受信されるメッセージの種類は、所定サイズ以下のテキストデータに限られていた。その後、移動体通信ネットワークにおける伝送能力の向上により、テキストのデータサイズが拡張されたメッセージや、静止画像等のデータが添付されたメッセージも送受信できるようになってきている。特に最近では、データ伝送速度が高速の移動体通信システムを用いて、テキスト、グラフィック、ビデオ、オーディオ等の複数のメディアタイプのデータをマルチメディアメッセージ（ＭＭ）として送受信可能なマルチメディアメッセージングサービス（ＭＭＳ）が提供されるようになってきている（例えば、非特許文献１及び特許文献１参照）。
【０００３】
【非特許文献１】Multimedia Messaging Service Architecture Overview Version 1.2 (OMA-MMS-ARCH-v1_2-20030920-C)
【特許文献１】特開２００２−２８１５５０号公報
【発明の開示】
【発明が解決しようとする課題】
【０００４】
しかしながら、上記従来のマルチメディアメッセージを送受信可能な移動体通信端末では、利用者が作成したマルチメディアメッセージを１件ずつしか送信できなかったため、上記データ伝送速度が高速の移動体通信システムをうまく活用できずマルチメディアメッセージの送信効率が悪いという問題点があった。
【０００５】
本発明は以上の問題点に鑑みなされたものであり、その目的は、複数のマルチメディアメッセージを送信するときの送信効率の向上を図ることができる移動体通信端末を提供することである。
【課題を解決するための手段】
【０００６】
上記目的を達成するために、請求項１の発明は、通信ネットワーック上のマルチメディアメッセージ通信システムを介して、複数のメディアタイプのデータを含めることができるマルチメディアメッセージの送受信が可能な移動体通信端末であって、マルチメディアメッセージに関するデータを入力するためのメッセージデータ入力手段と、該メッセージデータ入力手段で入力されたマルチメディアメッセージを記憶するメッセージ記憶手段と、該通信ネットワーク上のマルチメディアメッセージ通信システムと通信するためのメッセージ通信手段と、該メッセージ記憶手段に記憶している複数のマルチメディアメッセージを所定のタイミングで一括送信するように該メッセージ通信手段を制御する制御手段とを備えたことを特徴とするものである。
また、請求項２の発明は、請求項１の移動体通信端末において、上記制御手段は、予め設定した送信時刻が到来したときに、上記複数のマルチメディアメッセージを一括送信するように制御することを特徴とするものである。
また、請求項３の発明は、請求項１の移動体通信端末において、上記通信ネットワーク上のマルチメディアメッセージ通信システムと通信可能な状況にあるか否かを検知する通信状況検知手段を備え、上記制御手段は、該通信状況検知手段で該マルチメディアメッセージ通信システムと通信可能な状況にあることを検知したときに、上記複数のマルチメディアメッセージを一括送信するように制御することを特徴とするものである。
また、請求項４の発明は、請求項１の移動体通信端末において、上記複数のマルチメディアメッセージの一括送信を指示する一括送信指示手段を備え、上記制御手段は、該一括送信指示手段で該一括送信が指示されたときに、該複数のマルチメディアメッセージを一括送信するように制御することを特徴とするものである。
また、請求項５の発明は、請求項１乃至４のいずれかの移動体通信端末において、上記マルチメディアメッセージの一括送信に関する情報を利用者に通知するための一括送信情報通知手段を備え、上記制御手段は、上記一括送信の動作が中断されたときに、その一括送信動作の中断を知らせる情報を通知するように該一括送信情報通知手段を制御することを特徴とするものである。
また、請求項６の発明は、請求項５の移動体通信端末において、上記制御手段は、上記一括送信の動作が中断されたときに、上記複数のマルチメディアメッセージそれぞれについて送信が完了したか否かを識別する送信完了識別情報を保持し、マルチメディアメッセージごとに該送信完了識別情報を通知するように上記一括送信情報通知手段を制御することを特徴とするものである。
また、請求項７の発明は、請求項５又は６の移動体通信端末において、上記マルチメディアメッセージの再送信を指示する再送信指示手段を備え、上記制御手段は、該再送信指示手段で該再送信が指示されたときに、上記一括送信動作の中断で送信されていないマルチメディアメッセージについて再送信するように制御することを特徴とするものである。
また、請求項８の発明は、請求項１乃至７のいずれかの移動体通信端末において、上記制御手段は、該マルチメディアメッセージの送信に失敗したとき、予め設定した再送信回数だけ所定の時間間隔で該マルチメディアメッセージの再送信を試みるように制御することを特徴とするものである。
【０００７】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）の端末、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末における制御や情報処理は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００８】
本発明によれば、利用者が作成したマルチメディアメッセージをメッセージ記憶手段に一旦記憶し、そのメッセージ記憶手段に記憶している複数のマルチメディアメッセージを所定のタイミングでメッセージ通信手段により一括送信することができる。従って、複数のマルチメディアメッセージを送信するときの送信効率の向上を図ることができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、移動体通信端末としての携帯電話機１０Ａ，１０Ｂと、通信ネットワークとしての携帯電話通信網２０とを用いて構成されている。携帯電話通信網２０は、基地局２１と、コアネットワーク２０１と、ＩＰ（Internet Protocol）ネットワーク２０２と、ＳＭＳＣ（Short Message Service Center）２９とを備えている。なお、本実施形態における携帯電話通信網２０には、ＭＭＳ（Multimedia Messaging Service）に好適な高速データ通信が可能なＷ−ＣＤＭＡ（Wideband Code Division Multiple Access）等のＩＭＴ−２０００に準拠した通信方式で通信可能な無線通信網が構築されている。
【００１０】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１１】
上記コアネットワーク２０１は、図示しない位置登録データベース（ＨＬＲ，ＶＬＲ）、加入者データベース、課金システム等を有し、各携帯電話機間の通信等を中継するように通信制御を行う。更に、コアネットワーク２０１は、各携帯電話機と、携帯電話通信網２０内の構成要素との間における通信を中継するように通信制御を行う。また、コアネットワーク２０１は、各携帯電話機と他の通信ネットワークとの間における通信を中継するように通信制御を行う。
また、上記コアネットワーク２０１は、回線交換網のほかパケット交換網を有している。このパケット交換網は、ＳＧＳＮ（Serving GPRS Support Node）２２やＧＧＳＮ（Gateway GPRS Support Node）２３等のノードを有している。ＳＧＳＮ２２は、基地局２１が接続されている図示しない無線ネットワークコントローラとコアネットワーク２０１側のパケット交換網との間のゲートウェイ機能と、各携帯電話機１０Ａ，１０Ｂの位置管理、セキュリティ管理及びアクセス制御を行う機能とを有している。また、ＧＧＳＮ２３は、コアネットワーク２０１側のパケット交換網と、ＩＰネットワーク２０２との間のゲートウェイ機能を有している。
【００１２】
上記ＩＰネットワーク２０２は、プロキシサーバ２４、ＭＭＳＣ（Multimedia Messaging Service Center）２５、ゲートウェイサーバ２６、ＰＰＧ（Push Proxy Gateway）サーバ２７、その他図示しないＷＥＢサーバ等を有している。
【００１３】
上記プロキシサーバ２４は、各携帯電話機１０Ａ，１０Ｂと、ＩＰネットワーク２０２内のサーバやインターネット上のサーバとの間の通信を中継する処理を行う。このプロキシサーバ２４は、コアネットワーク２０１における通信プロトコルとＩＰネットワーク２０２やインターネット３０等の他の通信ネットワークにおける通信プロトコルが異なる場合に、両通信プロトコルを合わせるためのプロトコル変換機能も有している。
なお、このＩＰネットワーク２０２の中に、ＷＥＢサーバや、コンテンツをダウンロードするためのダウンロードサーバを設けてもよい。
【００１４】
上記ＭＭＳＣ２５は、図示しないメッセージボックスが接続され、次のようなマルチメディアメッセージ（以下「ＭＭＳメッセージ」という。）の処理を行う。例えば、ＭＭＳＣ２５は、送信側の携帯電話機１０Ａから送信されたＭＭＳメッセージを受信すると、そのＭＭＳメッセージをメッセージボックスに一旦保存し、ＰＰＧサーバ２７やＳＭＳＣ２９等を介して受信側の携帯電話機１０ＢにＭＭＳメッセージの着信通知を送信する。そして、ＭＭＳＣ２５は、受信側の携帯電話機１０Ｂからメッセージ取得要求を受けると、必要に応じて所定のフォーマット変換を行い、受信側の携帯電話機１０Ｂに送信する。また、ＭＭＳＣ２５は、インターネット３０から携帯電話機１０Ａ，１０Ｂ宛のＭＭＳメッセージを受信したときも着信通知を行った後、必要に応じて所定のフォーマット変換を行い、受信側の携帯電話機１０ＢへＭＭＳメッセージを送信する。
【００１５】
上記ゲートウェイサーバ２６は、携帯電話通信網２０のＩＰネットワーク２０２とインターネット３０との間のゲートウェイ機能とファイヤウォール機能とを有している。
上記ＰＰＧサーバ２７は、ＭＭＳＣ２５から受信したプッシュリクエストに基づいて、上記着信通知等のプッシュ型のメッセージをＳＭＳＣ２９を経由して携帯電話機１０Ａ，１０Ｂに送信する。
上記ＳＭＳＣ２９は、ショートメッセージサービス（ＳＭＳ）を提供するものであり、サイズ制限（例えば１２８バイト）のあるショートメッセージを送信側の携帯電話機１０Ａから受信し、受信側の携帯電話機１０Ｂに送信する。また、ＳＭＳＣ２９は、放送形式で複数の携帯電話機にへ一斉にショートメッセージを送信することもできる。
【００１６】
上記携帯電話通信網２０のＩＰネットワーク２０２を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。
上記インターネット３０上の各種コンテンツ提供サーバから携帯電話機１０Ａ，１０Ｂにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００１７】
図２は、ＭＭＳ（Multimedia Messaging Service）を提供する上記ＭＭＳＣ２５を介して携帯電話機１０Ａ，１０Ｂ間で送受信されるＭＭＳメッセージの説明図である。このＭＭＳメッセージは、ＲＦＣ（Request for Comments）８２２，２８２２，２０４５，２０４６，２０４７，２０４９等で仕様が規定されているＭＩＭＥ（Multipurpose Internet Mail Extension）対応のインターネットテキストフォーマットのメッセージである。このＭＭＳメッセージは、メッセージ本文６０とヘッダー６１とにより構成されている。ＭＭＳメッセージのメッセージ本文６０は、テキスト情報のほか、音声、イメージ、ビデオ、オーディオなどの様々なメディアによる情報のデータを含めるように構成することができる。また、ＭＭＳメッセージのヘッダー６１は、送信側の携帯電話機などの通信端末において送信メッセージに関する様々な情報のデータが入力される各種フィールドで構成されている。
なお、上記ＭＭＳ、ＭＭＳＣ、ＭＭＳメッセージ等は、次の（１）〜（３）等に規定されている仕様に準拠するものである。
（１）Multimedia Messaging Service Architecture Overview Version 1.2 (OMA-MMS-ARCH-v1_2-20030920-C)
（２）Multimedia Messaging Service Client Transactions Version 1.2 (OMA- MMS-CTR-v1_2-20030916-C)
（３）Multimedia Messaging Service Encapsulation Protocol Version 1.2 (OMA-MMS-ENC-v1_2-20030915-C)
【００１８】
上記ＭＩＭＥ情報のフィールドは、ＲＦＣ２０４５，２０４６，２０４７，２０４９等で規定されているＭＩＭＥの仕様に準拠したメッセージ本文６０の解釈処理に用いる解釈処理用フィールド（拡張ヘッダーフィールド）である。以下、このＭＩＭＥ情報のフィールドを「ＭＩＭＥヘッダーフィールド」といい、このＭＩＭＥヘッダーフィールドが設定されているヘッダー部分を「ＭＩＭＥヘッダー」という。
【００１９】
上記メッセージ本文６０を解釈処理するときに用いる解釈方法は、上記ＭＩＭＥヘッダーに設定されている「Content-Type:」のデータと「Content-Transfer-Encoding:」のデータとの組み合わせにより複数設定可能である。携帯電話機１０Ａ，１０Ｂは、携帯電話通信網２０を介して受信したＭＭＳメッセージのＭＩＭＥヘッダーフィールドのデータに応じて複数種類の解釈方法から選択された解釈方法を用いて、受信メッセージのメッセージ本文６０を解釈処理する。
【００２０】
図３は携帯電話機１０（１０Ａ、１０Ｂ）の一構成例を示す外観図であり、図４は、その携帯電話機１０のハードウェア構成を示す概略構成図である。また、図５は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００２１】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上でＭＭＳメッセージの送受信を行ったり、受信したＭＭＳメッセージに含まれるテキストや画像（静止画、動画）コンテンツや音声や音楽等のオーディオコンテンツを出力したりしてもよい。
【００２２】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００２３】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、ＭＭＳメッセージを送受信したり、ＭＭＳメッセージに添付されている画像ファイルを展開して表示したり、音楽ファイルを展開して再生したり、アプリケーションプログラムを選択して実行したりすることができる。また、利用者は上記操作部を操作することにより、コンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。
【００２４】
上記出力装置１０５は、表示手段である液晶ディスプレイ（ＬＣＤ）１７、スピーカ１８、図示しない振動デバイス等から構成されている。上記液晶ディスプレイ（ＬＣＤ）１７やスピーカ１８等からなる出力装置で構成されている出力部は、携帯電話通信網２０からＭＭＳメッセージやその着信通知を受信した旨を利用者に知らせたり、ＭＭＳメッセージのテキストや画像（静止画、動画）を液晶ディスプレイ（ＬＣＤ）１７に表示したり、ＭＭＳメッセージに添付の音声や音楽をスピーカ１８から出力したりするときに用いられる。上記ＭＭＳメッセージやその着信通知の受信を利用者に知らせるときは、出力部の液晶ディスプレイ（ＬＣＤ）１７に着信報知画像を表示したり、スピーカ１８から着信音を出力させたりする。
また、上記出力部は、携帯電話通信網２０を介して受信したＷｅｂページを液晶ディスプレイ（ＬＣＤ）１７に表示したり、携帯電話通信網２０から情報を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２５】
上記出力装置１０５を構成する振動デバイスは、この振動デバイスは、マナーモード（サイレントモード）設定時などに音声電話を着信したりＭＭＳメッセージや各種配信情報を受信したりしたときに、携帯電話機１０の全体を振動させ、その着信等を利用者に知らせるように制御することができる。
【００２６】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とＭＭＳメッセージのやり取りを行ったり、携帯電話通信網２０からゲートウェイサーバを介して、インターネット等の外部の通信ネットワークに接続し、インターネット上の通信端末とのＭＭＳメッセージのやり取り等を行ったりするための通信手段として用いられる。更に、この携帯電話通信網用通信装置１０６は、携帯電話通信網２０を介して、ダウンロードサーバ５０が提供するアプリケーションプログラムをダウンロードしたり、現在位置の位置情報を含む配信情報を受信したりする情報受信手段としても用いられる。
【００２７】
図６は、本実施形態に係る携帯電話機１０（１０Ａ，１０Ｂ）の主要な機能を抽出して示した機能ブロック図である。この携帯電話機１０は、メッセージデータ入力部１１０とメッセージ通信部１１１とメッセージ記憶部１１２とメッセージ出力部１１３と制御部１１４とを備えている。
【００２８】
上記メッセージ入力部１１０は上記入力装置１０４等で構成され、ＭＭＳメッセージに関するデータを利用者が入力するためのメッセージデータ入力手段として機能する。すなわち、このメッセージ入力部１１０は、利用者がＭＭＳメッセージ作成のためのメニューを選択したり、ＭＭＳメッセージのテキストを入力したりするときに用いることができる。更に、このメッセージ入力部１１０は、ＭＭＳメッセージに添付する静止画、動画、音声、音楽、プログラムなどのファイルを指定するときに用いることもできる。また、このメッセージ入力部１１０は、各ＭＭＳメッセージを送信する送信時刻を入力するときに用いることもできる。
また、メッセージデータ入力部１１０は、手動一括送信のときは、複数のＭＭＳメッセージの一括送信を指示する一括送信指示手段手段としても機能する。
また、メッセージデータ入力部１１０は、ＭＭＳメッセージの再送信を指示する再送信指示手段としても機能する。
また、メッセージデータ入力部１１０は、上記一括送信に失敗したときのＭＭＳメッセージの再送信回数（リトライ回数）の情報を入力する再送信回数情報入力手段としても機能する。この再送回数の情報は、複数のＭＭＳメッセージごとに又はＭＭＳメッセージの宛先ごとに入力してもよい。
【００２９】
上記メッセージ記憶部１１２は上記ＲＡＭ１０２やＲＯＭ１０３等の記憶装置で構成され、上記メッセージ入力部１１０で入力されたＭＭＳメッセージを記憶するメッセージ記憶手段として機能する。すなわち、このメッセージ記憶部１１２は、１件のＭＭＳメッセージごとに、利用者がメッセージ入力部１１０を使って入力したＭＭＳメッセージのテキストデータ、添付ファイルのデータ等を記憶する。また、このメッセージ記憶部１１２は、ＭＭＳメッセージを送信する送信時刻の情報や上記送信失敗時の再送信回数（リトライ回数）の情報などを一緒に記憶するように構成してもよい。
【００３０】
上記メッセージ通信部１１１は上記携帯電話通信網用通信装置１０６等で構成され、上記携帯電話通信網２０上に構築されたマルチメディアメッセージ通信システムを構成するＭＭＳＣ２５と通信するためのメッセージ通信手段として機能する。すなわち、このメッセージ通信部１１１は、ＨＴＴＰ等の所定の通信プロトコルを用いてＭＭＳＣ２５と通信することにより、他の携帯電話機との間でＭＭＳメッセージを送受信したり、インターネット３０上の通信端末との間でＭＭＳメッセージを送受信したりする。
また、このメッセージ通信部１１１は、携帯電話通信網２０上のマルチメディアメッセージ通信システムと通信可能な状況にあるか否かを検知する通信状況検知手段としても機能する。すなわち、このメッセージ通信部１１１は、無線通信している基地局２１からの電波の電界強度が、携帯電話通信網２０上のマルチメディアメッセージ通信システムと通信可能な電波強度であるかを検知する。
【００３１】
上記メッセージ出力部１１３は上記出力装置１０５等で構成され、メッセージ解釈処理部１１２で解釈処理されたメッセージ本文のデータをテキストや画像（静止画、動画）コンテンツとしてディスプレイ上に表示したり、音声や音楽等のオーディオコンテンツとしてスピーカやイヤホンから出力するメッセージ出力手段としての機能を有する。
また、このメッセージ出力部１１３は、ＭＭＳメッセージの一括送信に関する情報を利用者に通知するための一括送信情報通知手段としても機能する。すなわち、メッセージ出力部１１３は、上記一括送信の動作が中断されたときに、その一括送信動作が中断した旨を知らせる一括送信中断情報をディプレイ１７に表示したり、一括送信中断情報に対応する音声や特殊音をスピーカー１８から出力したりする。
【００３２】
上記制御部１１４は上記ＣＰＵ１０１等で構成され、上記メッセージ記憶部１１２に記憶している複数のＭＭＳメッセージを所定のタイミングで一括送信するようにメッセージ通信部１１１を制御する制御手段として機能する。
例えば、制御部１１４は、予め設定した送信時刻が到来したときに、上記複数のＭＭＳメッセージを一括送信するように制御する。なお、上記送信時刻は、複数のＭＭＳメッセージごとに又はＭＭＳメッセージの宛先ごとに予め設定しておいてもよい。この場合、上記メッセージ記憶部１１２に各ＭＭＳメッセージそれぞれに対応付けて送信時刻の情報を記憶しておく。
また例えば、制御部１１４は、電波の電界強度が弱い圏外でＭＭＳメッセージの作成を行った後に、上記メッセージ通信部１１１によってマルチメディアメッセージ通信システムのＭＭＳＣ２５と通信可能な状況にあることを検知したときに、上記複数のマルチメディアメッセージを一括送信するように制御する。
また例えば、制御部１１４は、上記一括送信指示手段としても機能するメッセージ入力部１１０によって一括送信が指示されたときに、複数のＭＭＳメッセージを一括送信するように制御する。
【００３３】
また、上記制御部１１４は、次のような一括送信中断時の処理やリトライ送信処理を行うように制御することもできる。
例えば、制御部１１４は、上記ＭＭＳメッセージの一括送信の動作が中断されたときに、その一括送信動作の中断を知らせる情報を通知するように、上記一括送信情報通知手段としても機能するメッセージ出力部１１３を制御する。
また例えば、制御部１１４は、上記一括送信の動作が中断されたときに、上記複数のＭＭＳメッセージそれぞれについて送信が完了したか否かを識別する送信完了識別情報を保持し、ＭＭＳメッセージごとに送信完了識別情報を通知するように上記メッセージ出力部１１３を制御する。
また例えば、制御部１１４は、上記再送信指示手段としても機能するメッセージデータ入力部１１０で再送信が指示されたときに、上記一括送信動作の中断で送信されていないマルチメディアメッセージについて再送信するように制御する。
また例えば、制御部１１４は、ＭＭＳメッセージの送信に失敗したとき、所定の時間間隔で再送信回数だけＭＭＳメッセージの再送信を試みるように制御する。
【００３４】
図７は、上記構成の通信システムにおいて携帯電話機１０Ａ、１０Ｂ間でＭＭＳメッセージを送受信するときの処理手順の一例を示すシーケンス図である。このメッセージ送受信処理では、メッセージの着信通知を受けた携帯電話機１０Ｂにおいて利用者が手動でメッセージの受信を行っている。
まず、送信側の利用者は、携帯電話機１０Ａを操作してＭＭＳメッセージ用のアプリケーションを起動し、ＭＭＳメッセージを作成する。そして、送信相手先のアドレスを指定して上記ＭＭＳメッセージを送信するように利用者が携帯電話機１０Ａを操作すると、携帯電話機１０Ａは、「ＨＴＴＰ  ＰＯＳＴ」によるメッセージ送信要求をＭＭＳＣ２５に送信する（ステップＳ１）。
ＭＭＳＣ２５は、上記メッセージ送信要求に対して「ＨＴＴＰ  ２００  ＯＫ」によるメッセージ送信応答を送信側の携帯電話機１０Ａに送信する（ステップＳ２）。その後、ＭＭＳＣ２５は、「ＳＭＳ」によるメッセージ着信通知をＰＰＧサーバ２７を経由して受信側の携帯電話機１０Ｂに送信する（ステップＳ３，Ｓ４）。
次に、受信側の携帯電話機１０Ｂは、上記メッセージ着信通知をＭＭＳＣ２５から受信すると、着信通知用に予め設定しておいたテキストや画像等を出力部のディスプレイ１７に表示したり、着信通知用に予め設定しておいた音声、特殊音、メロディー、音楽等を出力部のスピーカ１８から出力したりする。例えば、「新着メッセージがサーバに格納された」等の着信通知メッセージをディスプレイに表示する。このようなディプレイ上の着信通知表示やスピーカーからの着信通知音の出力により、受信側の携帯電話機１０Ｂの利用者は、自分宛のＭＭＳメッセージが届いていることを知ることができる。その着信通知の後、受信側の利用者は、任意のタイミングで、ＭＭＳメッセージを受信するように携帯電話機１０Ｂを操作することができる。
次に、受信側の携帯電話機１０Ｂは、上記メッセージ着信通知に対して、「ＨＴＴＰ  ＰＯＳＴ」によるメッセージ着信通知応答をＭＭＳＣ２５に送信する（ステップＳ５）。
ＭＭＳＣ２５は、上記メッセージ着信通知応答を受信した後、「ＳＭＳ」によるメッセージ配信完了通知をＰＰＧサーバ２７を経由して送信側の携帯電話機１０Ａに送信する（ステップＳ６，Ｓ７）。このメッセージ配信完了通知のヘッダーには、ＭＭＳ用フィールドの一つである「X-Mms-Status:Deffered」が記述され、このヘッダーフィールドのデータを参照することにより、送信側の携帯電話機１０Ａは、メッセージ着信通知が受信側の携帯電話機１０Ｂに配信され、ＭＭＳメッセージの受信待ちの状態になっていることを認識することができる。
【００３５】
次に、受信側の利用者が上記着信通知を受けたＭＭＳメッセージを受信するときは、上記ＭＭＳメッセージ用のアプリケーション上で当該ＭＭＳメッセージを指定して受信処理を開始するように携帯電話機１０Ｂを操作する。この操作により、受信側の携帯電話機１０Ｂは、「ＨＴＴＰ  ＧＥＴ」によるメッセージ受信要求をＭＭＳＣ２５に送信する（ステップＳ８）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ９）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ１０）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ１１，Ｓ１２）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００３６】
図８は、上記構成の通信システムにおいて携帯電話機１０Ａ、１０Ｂ間でＭＭＳメッセージを送受信するときの他の処理手順の一例を示すシーケンス図である。このメッセージ送受信処理では、メッセージの着信通知を受けた携帯電話機１０Ｂにおいて自動でメッセージの受信を行っている。なお、図８中のステップＳ１〜Ｓ４については上記図７の場合と同様であるので、説明を省略する。
受信側の携帯電話機１０Ｂは、上記メッセージ着信通知をＭＭＳＣ２５から受信すると、次にようにＭＭＳメッセージの受信処理を自動的に開始する。まず、携帯電話機１０Ｂは、上記メッセージ着信通知に対して、「ＨＴＴＰ  ＧＥＴ」によるメッセージ受信要求をＭＭＳＣ２５に送信する（ステップＳ５）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ６）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ７）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ８，Ｓ９）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００３７】
図９は、携帯電話機で作成して保存した複数のＭＭＳメッセージを所定の送信時刻に一括送信するときの処理手順の一例を示すフローチャートである。
まず、利用者が携帯電話機１０Ａのメッセージ入力部１１０を操作してＭＭＳメッセージ用のアプリケーションを起動する（ステップS101）。このアプリケーション上で利用者が所定の入力操作を繰り返し行うことにより、携帯電話機１０Ａは、利用者が指定する複数の送信先ごとに、利用者が作成したＭＭＳメッセージをメッセージ記憶部１１２に保存する（ステップS102，S103）。また、携帯電話機１０Ａは、上記ＭＭＳメッセージとともに、利用者が指定した送信時刻の情報もメッセージ記憶部１１２に保存する。
次に、携帯電話機１０Ａは、制御部１１４において現在時刻を定期的に参照し、予め設定した送信時刻が到来したタイミングで、上記メッセージ記憶部１１２に記憶されている複数のＭＭＳメッセージを一括して送信する（ステップS105）。
次に、携帯電話機１０Ａは、上記一括送信が完了した後、その送信結果を通知する（ステップS106）。例えば、一括送信完了通知のメッセージをディプレイ１７に表示したり、一括送信が完了した旨を知らせる音声や特殊音をスピーカ１８から出力する。
以上のように、図９の例では、利用者が複数のＭＭＳメッセージを作成した後、利用者が指定した所定の送信時刻に、その複数のＭＭＳメッセージを連続して一括送信することができる。
【００３８】
図１０は、携帯電話機で作成して保存した複数のＭＭＳメッセージを予め設定したメッセージグループごとに一括送信するときの処理手順の一例を示すフローチャートである。なお、ＭＭＳメッセージの作成及び保存については、図９の場合と同様である（ステップS101〜S103）。
本例の携帯電話機１０は、上記複数のＭＭＳメッセージを複数のメッセージグループに区別して保存している。そして、本例の携帯電話機１０は、各メッセージグループごとに利用者が指定した送信時刻の情報をメッセージ記憶部１１２に保存している。なお、図１０では、上記メッセージグループが２つの第１メッセージグループ及び第２メッセージグループの場合について示している。
本例の携帯電話機１０は、制御部１１４において現在時刻を定期的に参照し、予め設定した第１メッセージグループに対応する送信時刻が到来したタイミングで、上記メッセージ記憶部１１２に記憶されている第１メッセージグループ複数のＭＭＳメッセージを一括して送信する（ステップS105）。その後、携帯電話機１０Ａは、上記一括送信が完了した後、その送信結果を通知する（ステップS106）。
次に、本例の携帯電話機１０は、制御部１１４において現在時刻を定期的に参照し、予め設定した第２メッセージグループに対応する送信時刻が到来したタイミングで、上記メッセージ記憶部１１２に記憶されている第２メッセージグループ複数のＭＭＳメッセージを一括して送信する（ステップS105）。その後、携帯電話機１０Ａは、上記一括送信が完了した旨の送信結果を利用者に通知する（ステップS106）。
以上のように、図１０の例では、利用者が複数のＭＭＳメッセージをメッセージグループを指定して作成した後、利用者がメッセージグループごとに指定した所定の送信時刻に、各メッセージグループに属する複数のＭＭＳメッセージを連続して一括送信することができる。
【００３９】
図１１は、携帯電話機で作成して保存した複数のＭＭＳメッセージを電波状況が良好になったタイミングで一括送信するときの処理手順の一例を示すフローチャートである。なお、ＭＭＳメッセージの作成及び保存については、図９の場合と同様である（ステップS101〜S103）。
本例の携帯電話機１０Ａは、上記ＭＭＳメッセージの作成及び保存の後、上記メッセージ通信部１１１で携帯電話通信網２０との間の電波状況、すなわち無線通信に用いる電波の電界強度の状況をモニターし、ＭＭＳメッセージを送信可能な電波状況か否かを判断する（ステップS104）。そして、携帯電話機１０Ａは、送信可能な電波状況になったと判断したときに、上記メッセージ記憶部１１２に記憶されている複数のＭＭＳメッセージを一括して送信する（ステップS105）。その後、携帯電話機１０Ａは、上記一括送信が完了した旨の送信結果を利用者に通知する（ステップS106）。
以上のように、図１１の例では、ＭＭＳメッセージを送信できない電波状況である圏外に位置しているときに、送信対象の複数のＭＭＳメッセージをまとめて作成し、その後、送信可能な電波状況になったタイミングで、上記まとめて作成した複数のＭＭＳメッセージを一括して自動送信することができる。
【００４０】
図１２は、携帯電話機で作成して保存した複数のＭＭＳメッセージを手動で一括送信するときの処理手順の一例を示すフローチャートである。なお、ＭＭＳメッセージの作成及び保存については、図９の場合と同様である（ステップS101〜S103）。
本例の携帯電話機１０Ａは、上記ＭＭＳメッセージの作成及び保存の後、利用者による一括送信指示の操作を受け付けることができる状態になっている（ステップS104）。そして、利用者が任意のタイミングで一括送信を指示する操作を行うと、携帯電話機１０Ａは、この一括送信指示の操作に基づいて、上記メッセージ記憶部１１２に記憶されている複数のＭＭＳメッセージを一括して送信する（ステップS105）。その後、携帯電話機１０Ａは、上記一括送信が完了した旨の送信結果を利用者に通知する（ステップS106）。
以上のように、図１２の例では、利用者が指定する任意のタイミングで、複数のＭＭＳメッセージを一括して自動送信することができる。
【００４１】
図１３は、携帯電話機で作成して保存した複数のＭＭＳメッセージを一括送信するときに送信動作の中断があったときの処理手順の一例を示すフローチャートである。なお、ＭＭＳメッセージの一括送信開始までについては、図９の場合と同様である（ステップS101〜S105）。
本例の携帯電話機１０Ａは、上記複数のＭＭＳメッセージの一括送信を開始した後、一括送信が正常に終了したら、その一括送信が完了した旨の送信結果を利用者に通知する（ステップS106〜S108）。一方、上記ＭＭＳメッセージの一括送信を開始した後、電波状況の悪化や処理エラーの発生等の原因によって送信動作が中断すると、一括送信動作中断を知らせる通知を行う（ステップS109）。
以上のように、図１３の例では、上記複数のＭＭＳメッセージの一括送信動作が何らかの原因で中断したときに、その一括送信動作の中断を利用者に通知し、送信できなかったＭＭＳメッセージの再送信処理を促すことができる。
【００４２】
なお、上記一括送信動作中断の通知は、図１４に示すように一括送信対象のＭＭＳメッセージごとに送信完了状況を通知するように行ってもよい（図１４のステップS109）。この場合は、上記一括送信動作の中断が発生したときに、送信対象の複数のＭＭＳメッセージのどこまで送信が完了し、どのＭＭＳメッセージの送信が完了していないかを利用者に知らせることができる。
【００４３】
また、図１５に示すように、一括送信対象のＭＭＳメッセージごとに送信完了状況を通知した後、ＭＭＳメッセージごとに利用者による再送信指示を受け付けるようにしてもよい（図１５のステップS109，S110）。この場合は、利用者が指定した未送信のＭＭＳメッセージを所定の再送信タイミングで再送信する（図１５のステップS111，S112）。その後、携帯電話機１０Ａは、上記再送信が完了した旨の送信結果を利用者に通知する（ステップS113）。この場合は、上記一括送信動作の中断で未送信になったＭＭＳメッセージを利用者が指定して確実に再送信することができる。
【００４４】
なお、上記図９〜１５の処理例において、上記複数のＭＭＳメッセージの一括送信に失敗して中断したときに、未送信のＭＭＳメッセージについて自動的にリトライ送信処理を所定のリトライ回数だけ所定の時間間隔で行うように制御してもよい。この場合は、利用者が再送信の操作を行うことなく、上記複数のＭＭＳメッセージのすべてを確実に送信できるようになる。なお、上記リトライ送信処理のリトライ回数やリトライの時間間隔としては、携帯電話機に予め設定されている設定値を用いたり、利用者が任意に設定した設定値を用いたりすることができる。また、このリトライ回数やリトライの時間間隔は、上記複数のＭＭＳメッセージそれぞれについて個別に設定してもよい。
【００４５】
以上、本実施形態によれば、利用者が作成したＭＭＳメッセージをメッセージ記憶部１１２に一旦記憶し、そのメッセージ記憶部１１２に記憶している複数のＭＭＳメッセージを所定のタイミングでメッセージ通信部１１１により一括送信することができる。従って、複数のＭＭＳメッセージを送信するときの送信効率の向上を図ることができる。
また、本実施形態によれば、複数のＭＭＳメッセージを一括送信することにより、複数のＭＭＳメッセージについて通信回線確立処理及び通信回線切断処理を１回だけ実行するだけで済むため、複数のＭＭＳメッセージを１件ずつ独立して送信する場合に比して、ＭＭＳメッセージ１件あたりの通信時間及び通信料を低減するとともに、通信ネットワークにおける通信負荷の増加を抑制することができる。
また、本実施形態によれば、利用者の１回の一括送信指示の操作によって複数のＭＭＳメッセージを一括送信する場合は、複数のＭＭＳメッセージの１件ごとに送信指示の操作をする場合に比して操作性が向上する。
【００４６】
なお、上記実施形態ではＭＭＳメッセージを送受信可能な携帯電話機の場合について説明したが、本発明は、携帯電話機以外の他の移動体通信端末の場合についても同様に適用することができる。
【図面の簡単な説明】
【００４７】
【図１】本発明の実施形態に係る通信システム全体の概略構成の一例を示す説明図。
【図２】ＭＭＳメッセージの説明図。
【図３】携帯電話機の一構成例を示す外観図。
【図４】携帯電話機のハードウェア構成を示す概略構成図。
【図５】携帯電話機におけるソフトウェア構造の説明図。
【図６】携帯電話機の主要な機能を抽出して示した機能ブロック図。
【図７】携帯電話機間でＭＭＳメッセージを送受信するときの処理手順の一例を示すシーケンス図。
【図８】携帯電話機間でＭＭＳメッセージを送受信するときの他の処理手順の一例を示すシーケンス図。
【図９】複数のＭＭＳメッセージを所定の送信時刻に一括送信するときの処理手順の一例を示すフローチャート。
【図１０】複数のＭＭＳメッセージを予め設定したメッセージグループごとに一括送信するときの処理手順の一例を示すフローチャート。
【図１１】複数のＭＭＳメッセージを電波状況が良好になったタイミングで一括送信するときの処理手順の一例を示すフローチャート。
【図１２】複数のＭＭＳメッセージを手動で一括送信するときの処理手順の一例を示すフローチャート。
【図１３】複数のＭＭＳメッセージを一括送信するときに送信動作の中断があったときの処理手順の一例を示すフローチャート。
【図１４】変形例に係る送信動作中断時の処理手順の一例を示すフローチャート。
【図１５】他の変形例に係る送信動作中断時の処理手順の一例を示すフローチャート。
【符号の説明】
【００４８】
１０    携帯電話機
１０Ａ  送信側の携帯電話機
１０Ｂ  受信側の携帯電話機
２０    携帯電話通信網
２５    ＭＭＳＣ（マルチメディアメッセージングサービスセンター）
２７    ＰＰＧ（プッシュプロキシゲートウェイ）サーバ
１１０  メッセージ入力部
１１１  メッセージ通信部
１１２  メッセージ記憶部
１１３  メッセージ出力部
１１４  制御部
【図１】
2006121349.tif 000003
【図２】
2006121349.tif 000004
【図３】
2006121349.tif 000005
【図４】
2006121349.tif 000006
【図５】
2006121349.tif 000007
【図６】
2006121349.tif 000008
【図７】
2006121349.tif 000009
【図８】
2006121349.tif 000010
【図９】
2006121349.tif 000011
【図１０】
2006121349.tif 000012
【図１１】
2006121349.tif 000013
【図１２】
2006121349.tif 000014
【図１３】
2006121349.tif 000015
【図１４】
2006121349.tif 000016
【図１５】
2006121349.tif 000017